(57)【要約】【課題】コンセントに挿入される２Ｐ電源プラグの保持力を向上可能にする技術を提供する。【解決手段】電源プラグ２００を収容する胴部１６０を有する電源プラグ補助器具１００であって、電源プラグ２００を収容した後に、電源プラグ補助器具１００の正面側に固定される第１の正面側固定部材１２０と、第２の正面側固定部材１３０とを有し、第１の正面側固定部材１２０には、コンセントに設けられている接地用の孔に挿入可能なダミー接地極１１０が設けられている。【選択図】図５
2019149277.tif 000002
【特許請求の範囲】
【請求項１】
電源プラグを収容する胴部を有する電源プラグ補助器具であって、
前記電源プラグを収容した後に、電源プラグ補助器具の正面側に固定される第１の正面側固定部材と、第２の正面側固定部材とを有し、
前記第１の正面側固定部材には、コンセントに設けられている接地用の孔に挿入可能なダミー接地極が設けられている、電源プラグ補助器具。
【請求項２】
請求項１に記載の電源プラグ補助器具において、
前記電源プラグを収容した状態にて、前記電源プラグに設けられている第１の刃と第２の刃とがコンセントの電源供給用の孔に挿入され、前記ダミー接地極が前記コンセントの接地用の孔に挿入される、電源プラグ補助器具。
【請求項３】
請求項１に記載の電源プラグ補助器具において、
電源プラグを収容した後に、電源プラグ補助器具の背面側に固定される第１の背面側固定部材と、第２の背面側固定部材とを有する、電源プラグ補助器具。
【請求項４】
請求項１に記載の電源プラグ補助器具において、
前記胴部に対して着脱自在に構成される底面部を有し、
前記胴部に設けられているねじ受け部に、前記底面部に設けられているねじ部が締めこまれることで、前記胴部に対して前記底面部が固定される、電源プラグ補助器具。
【請求項５】
第１の板部と、前記第１の板部と対抗する第２の板部と、を有する電源プラグ補助器具であって、
前記第１の板部と前記第２の板部との間に形成される収容部に、電源プラグを収容し、
前記第１の板部または前記第２の板部のいずれか一方には、コンセントに設けられている接地用の孔に挿入可能なダミー接地極が設けられている、電源プラグ補助器具。
【発明の詳細な説明】
【技術分野】
【０００１】
本発明は、電源プラグ補助器具に関する。
【背景技術】
【０００２】
人工呼吸器のなど生命維持装置に電力を供給するための電源プラグには、多くの場合、アース（接地）をとるための３Ｐ電源プラグが採用されている。
【０００３】
この３Ｐ電源プラグの利点としては、コンセントに差し込むと同時に、アース（接地）が取れ、しかも、電源プラグの極数が２本より多い３本になった分だけ抜けにくいというものがある。
【０００４】
近年では、医療機器でありながら、人工呼吸器などの差込プラグの極数が２本（枚）の医療機器が存在するようになってきている。そのため、病院内にて、３Ｐ電源プラグが使用される医療機器と、２Ｐ電源プラグが使用される医療機器とが混在するようになってきている。
【０００５】
２Ｐ電源プラグに関連する技術として、実用新案登録第３１８０８７０号（特許文献１）には、「プラグの金属極を通す孔部を有する矩形平面のうち、連続する三辺又は四辺からほぼＬ字状にプラグを包み込むように曲げて形成されており、連続する三辺は長手方向真中から伸びる端部に、四辺は向かい合う二辺から伸びる各端部に指の入るプラグ引き抜き用リング部を設ける。プラグを使用しないときは、絶縁性保持極をコンセントプラグ孔に差し込んで、コンセントキャップとする」と記載されている。
【先行技術文献】
【特許文献】
【０００６】
【特許文献１】実用新案登録第３１８０８７０号
【発明の概要】
【発明が解決しようとする課題】
【０００７】
特許文献１に記載されている技術は、プラグを覆うプラグカバーにおいて、プラグの金属極を通すことができる孔部およびコンセントプラグ孔に差し込む絶縁性保持極を備えている。しかしながら、特許文献１に記載されている技術では、２Ｐ電源プラグで使用されることを前提としている。そして、コンセントに挿入されるのが２Ｐ電源プラグであるため、３Ｐ電源プラグよりも抜けやすいという問題があった。
本発明の目的は、コンセントに挿入される２Ｐ電源プラグの保持力を向上可能にする技術を提供することである。
【課題を解決するための手段】
【０００８】
本願において開示される発明のうち、代表的なものの概要を簡単に説明すれば、次の通りである。
【０００９】
本発明の一実施の形態の電源プラグ補助器具は、電源プラグを収容する胴部を有する電源プラグ補助器具であって、前記電源プラグを収容した後に、電源プラグ補助器具の正面側に固定される第１の正面側固定部材と、第２の正面側固定部材とを有する。また、前記第１の正面側固定部材には、コンセントに設けられている接地用の孔に挿入可能なダミー接地極が設けられている。
【００１０】
また、本発明の一実施の形態の電源プラグ補助器具は、第１の板部と、前記第１の板部と対抗する第２の板部と、を有する電源プラグ補助器具であって、前記第１の板部と前記第２の板部との間に、電源プラグを収容する。また、前記第１の板部には、コンセントに設けられている接地用の孔に挿入可能なダミー接地極が設けられている。
【発明の効果】
【００１１】
本願において開示される発明のうち、代表的なものによって得られる効果を簡単に説明すれば以下のとおりである。
本発明の一実施の形態によれば、コンセントに挿入される２Ｐ電源プラグの保持力を向上できる。
【図面の簡単な説明】
【００１２】
【図１】本発明の実施の形態１における電源プラグ補助器具の構成例の概要を示す斜視図である。
【図２】本発明の実施の形態１における電源プラグ補助器具の構成例の概要を示す正面図である。
【図３】本発明の実施の形態１における電源プラグ補助器具の構成例の概要を示す背面図である。
【図４】本発明の実施の形態１における電源プラグ補助器具が電源プラグに取り付けられるまでの状態を示す斜視図である。
【図５】本発明の実施の形態１における電源プラグ補助器具が電源プラグに取り付けられた状態を示す斜視図である。
【図６】本発明の実施の形態１における電源プラグ補助器具が電源プラグに取り付けられた状態を示す正面図である。
【図７】本発明の実施の形態１における電源プラグ補助器具が電源プラグに取り付けられた状態を示す背面図である。
【図８】本発明の実施の形態２における電源プラグ補助器具の底面部が胴部から取り外された状態を示す斜視図である。
【図９】本発明の実施の形態３における電源プラグ補助器具が電源プラグに取り付けられた状態を示す正面である。
【図１０】本発明の他の実施の形態における電源プラグの構成例の概要を示す斜視図である。
【発明を実施するための形態】
【００１３】
以下、本発明の実施の形態を図面に基づいて詳細に説明する。なお、実施の形態を説明するための全図において、同一部には原則として同一の符号を付し、その繰り返しの説明は省略する。
（実施の形態１）
【００１４】
図１は、本発明の実施の形態１における電源プラグ補助器具の構成例の概要を示す斜視図である。図２は、本発明の実施の形態１における電源プラグ補助器具の構成例の概要を示す正面図である。図３は、本発明の実施の形態１における電源プラグ補助器具の構成例の概要を示す背面図である。図４は、本発明の実施の形態１における電源プラグ補助器具が電源プラグに取り付けられるまでの状態を示す斜視図である。図５は、本発明の実施の形態１における電源プラグ補助器具が電源プラグに取り付けられた状態を示す斜視図である。図６は、本発明の実施の形態１における電源プラグ補助器具が電源プラグに取り付けられた状態を示す正面図である。図７は、本発明の実施の形態１における電源プラグ補助器具が電源プラグに取り付けられた状態を示す背面図である。図８は、本発明の実施の形態２における電源プラグ補助器具の底面部が胴部から取り外された状態を示す斜視図である。図９は、本発明の実施の形態３における電源プラグ補助器具が電源プラグに取り付けられた状態を示す正面である。図１０は、本発明の他の実施の形態における電源プラグの構成例の概要を示す斜視図である。
【００１５】
図１〜図７に示されるように、電源プラグ補助器具１００は、円筒形状であり、第１の正面側固定部材１２０と、第１の正面側固定部材１２０に設けられるダミー接地極１１０と、第２の正面側固定部材１３０と、第１の突き出し部１４０と、第２の突き出し部１５０と、胴部１６０と、底面部１７０と、第１の背面側固定部材１８０と、第２の背面側固定部材１９０とを有する。以下、電源プラグ補助器具１００に収容される電源プラグ２００の第１の刃２１０および第２の刃２２０が設けられる方向を正面側と呼び、電源プラグ補助器具１００に収容される電源プラグ２００のコード部２３０が設けられる方向を背面側と呼ぶ場合がある。
【００１６】
電源プラグ補助器具１００は、円筒形状であって中空に構成され、内部に収容される電源プラグ２００を覆うことが可能に構成されている。また、電源プラグ補助器具１００は、コンセントに設けられている接地用の孔に挿入可能なダミー接地極１１０が設けられている。ダミー接地極１１０の棒状であって、正面観察した場合に円弧形状である。電源プラグ補助器具１００に電源プラグ２００を収容した状態にて、第１の刃２１０と第２の刃２２０とが、コンセントの電源供給用の孔に挿入され、ダミー接地極１１０が接地用の孔に挿入される。ダミー接地極１１０の長さは、１．５ｃｍ〜３ｃｍである。
第１のねじ受け部１７１と第２のねじ受け部１７２とは、底面部１７０から正面側に向かって胴部１６０の内壁に沿って形成される。
第１の正面側固定部材１２０には、第１の孔１２１が設けられている。また、第２の正面側固定部材１３０には、第２の孔１３１が設けられている。
第１の背面側固定部材１８０には、円筒形状の、第３ねじ受け部１８１と、第４ねじ受け部１８２とが設けられている。
第１の突き出し部１４０には、第３の孔１４１が設けられている。また、第２の突き出し部１５０には第４の孔１５１が設けられている。
電源プラグ２００は、プラグ本体２５０と、プラグ本体の正面に設けられる一対の第１の刃２１０および第２の刃２２０を有する。
【００１７】
電源プラグ補助器具１００の正面側または背面側からは電源プラグ２００が挿入される。これによって、電源プラグ２００は、電源プラグ補助器具１００の胴部１６０の内部に収容される。なお、電源プラグ２００は、第１の刃２１０および第２の刃２２０が正面側、コード部２３０が背面側に向けられた状態で電源プラグ補助器具１００内に収容される。
【００１８】
電源プラグ補助器具１００に電源プラグ２００が収容された後に、第１の正面側固定部材１２０と、第２の正面側固定部材１３０とが、電源プラグ補助器具１００の正面側に嵌め込まれる。
【００１９】
第１の正面側固定部材１２０が正面側に嵌め込まれた状態にて、第１の孔１２１は、第１のねじ受け部１７１と対抗する。そして、第１の正面側固定部材１２０が正面側に嵌め込まれた状態にて、第１のねじ１２２が締めこまれ、第１の孔１２１と第１のねじ受け部１７１とを介して第１のねじ１２２が挿入される。これによって、胴部１６０の正面側に第１の留め具１１０が固定される。
【００２０】
また、第２の正面側固定部材１３０が正面側に嵌め込まれた状態にて、第２の孔１２２は、第２のねじ受け部１７１と対抗する。そして、第２の正面側固定部材１３０が正面側に嵌め込まれた状態にて、第２のねじ１３２が締めこまれ、第２の孔１２２と第２のねじ受け部１７２とを介して第１のねじ１２２が挿入される。これによって、胴部１６０の正面側に第２の正面側固定部材１３０が固定される。
【００２１】
胴部１６０の内部に収容される電源プラグ２００の正面側は、第１の正面側固定部材１２０と第２の正面側固定部材１３０とに挟まれた状態で胴部１６０の内部に固定される。
【００２２】
電源プラグ補助器具１００に電源プラグ２００が収容された後に、第１の背面側固定部材１８０に設けられている第３ねじ受け部１８１は、第１の突き出し部１４０に設けられている第３の孔１４１と、第２の背面側固定部材１９０に設けられている第５の孔１９１とに挿入される。また、第２の背面側固定部材１９０に設けられている第２のねじ受け部１８２は、第２の突き出し部１５０に設けられている第２の孔１５１と第２の背面側固定部材１９０に設けられている第６の孔１９２とに挿入される。
【００２３】
第３ねじ受け部１８１が、第１の突き出し部１４０に設けられている第３の孔１４１および第２の背面側固定部材１９０に設けられている第５の孔１９１に挿入された状態にて、第３ねじ受け部１８１に第３のねじ１９１が締めこまれ、挿入される。また、第４ねじ受け部１８２が、第２の突き出し部１５０に設けられている第４の孔１５１および第２の背面側固定部材１９０に設けられている第６の孔１９２に挿入された状態にて、第４ねじ受け部１８２に第４のねじ１９２が締めこまれ、挿入される。これによって、第１の突き出し部１４０および第２の突き出し部１５０に、第１の背面側固定部材１８０と第２の背面側固定部材１９０とが固定される。また、胴部１６０の内部に収容される電源プラグ２００の背面側は、第１の背面側固定部材１８０と第２の背面側固定部材１９０とに挟まれた状態で胴部１６０の内部に固定される。
【００２４】
電源プラグ２００のプラグ本体の正面と、電源プラグ補助器具１００の第１の背面側固定部材１８０と第２の背面側固定部材１９０とは、一つの平面部を構成する。これによって、コンセントと平面部との間に、隙間や段差が発生することを抑制でき、コンセントに挿入される２Ｐ電源プラグの保持力を向上できる。
【００２５】
なお、胴部１６０の背面側の内壁と電源プラグ２００との間に弾性部材（シリコン、樹脂、スポンジ）などを挿入しても良い。これによって胴部１６０の背面側の内壁と電源プラグ２００との間の隙間を弾性部材で埋めることが可能になり、胴部１６０の背面側の内壁と電源プラグ２００との密着度を高めることができる。
【００２６】
また、胴部１６０の背面側の外壁にくぼみを形成しても良い。これによって、電源プラグ２００を収容した電源プラグ補助器具１００をコンセントから引き抜きやすくなる。また、電源プラグ２００を収容した電源プラグ補助器具１００をコンセントに差し込みやすくなる。さらに、電源プラグ補助器具１００を携帯しやすくなる。
【００２７】
また、図１０に示されるように、電源プラグ２００が、電源プラグ本体２５０を貫通する固定部材２３０を有するようにしても良い。固定部材２３０には、コンセントに設けられている接地用の孔に挿入可能なダミー接地極２６０が設けられている。固定部材２３０は、ねじ部２３１とナット部２３２とから構成される。そして、電源プラグ本体２５０をねじ部２３１がナット部２３２により締め付けられることで、固定部材２３０が電源プラグ本体２５０に対して固定される。
＜実施の形態１の効果＞
【００２８】
本発明の実施の形態１によれば、第１の正面側固定部材１２０に、コンセントに設けられている接地用の孔に挿入可能なダミー接地極１１０が設けられていることで、既存の２Ｐ電源プラグを加工することなく、コンセントに挿入される２Ｐ電源プラグの保持力を向上できる。
【００２９】
また、３Ｐ電源プラグと、２Ｐ電源プラグとが混在して使用される医療現場では、通常の２Ｐ電源プラグが使用されている医療機器よりも、３Ｐ電源プラグが使用される医療機器の方が、重要な機器との印象を与えてしまう実態があることが知られているところ、胴部１６０に電源プラグ２００が収容されることで、重要な機器であるとの印象を与えることができる。
【００３０】
また、第１の刃２１０と第２の刃２２０とが、コンセントの電源供給用の孔に挿入され、ダミー接地極１１０が接地用の孔に挿入されることで、上下方向への揺動を規制でき、コンセントと電源プラグ２００との間に隙間が生じることを抑制できる。これによって、隙間から埃などの異物が侵入し、火災が発生する可能性を抑制できる。
【００３１】
また、電源プラグ補助器具１００の外観から、電源プラグ２００が、重要な医療機器に使用されるものであるとの印象を与えることができる。そして、電源プラグ２００が、医療機器が使用中の状況で家電機器と間違えて引き抜かれる可能性を低減できる。
（実施の形態２）
【００３２】
実施の形態２は、電源プラグ補助器具の胴部に対し底面部が着脱自在である点で実施の形態１と異なる。以下、実施の形態２を実施の形態１と異なる点を主に図８を用いて説明する。
図８は、本発明の実施の形態２における電源プラグ補助器具３００の底面部３７０が胴部３６０から取り外された状態を示す斜視図である。
図８に示されるように、実施の形態２の電源プラグ補助器具３００は、胴部３６０に対し底面部３７０が着脱自在に構成される。
【００３３】
底面部３７０の側面から中心までにかけて、切り欠き部３７２が形成されている。そして、コード部２３０は、切り欠き部３７２を介して底面部３７０の中心位置まで挿入される。
【００３４】
胴部３６０の背面側には、ねじ受け部３６１が設けられる。また、底面部３７０の正面側には、ねじ部３７１が設けられる。胴部３６０に設けられているねじ受け部３６１に、底面部３７０に設けられているねじ部３７１が締めこまれることで、胴部３６０に対して底面部３７０が固定される。
【００３５】
なお、胴部３６０の内壁と電源プラグ２００との間に弾性部材（シリコン、樹脂、スポンジ）などを挿入しても良い。これによって、胴部３６０の内壁と電源プラグ２００との間の隙間を弾性部材で埋めることが可能になり、胴部３６０の内壁と電源プラグ２００との密着度を高めることができる。
＜実施の形態２の効果＞
【００３６】
以上説明した実施の形態２における電源プラグ補助器具３００によれば、胴部３６０に設けられているねじ受け部３６１に、底面部３７０に設けられているねじ部３７１が締めこまれ、胴部３６０に対して底面部３７０が固定されることで、実施の形態１と異なる効果として、部材の数を減らすことができる。また、少ない作業量で胴部３６０の内部に収容される電源プラグ２００の背面側を固定できる。
（実施の形態３）
【００３７】
実施の形態３は、電源プラグ補助器具が第１の板部と第２の板部とにより構成されている点で実施の形態１と異なる。以下、実施の形態３を実施の形態１と異なる点を主に図９を用いて説明する。
図９は、本発明の実施の形態３における電源プラグ補助器具４００の構成例の概要を示す図である。
図９に示されるように、実施の形態３の電源プラグ補助器具４００は、第１の板部４１０と、第１の板部４１０と対抗する第２の板部４２０とを有する。
【００３８】
また、電源プラグ補助器具４００は、第１の板部４１０と第２の板部４２０とは正面視円弧形状であり、第１の板部４１０と第２の板部４２０との間に、電源プラグ２００を収容する。また、第１の板部４１０には、コンセントに設けられている接地用の孔に挿入可能なダミー接地極４５０が設けられている。
【００３９】
なお、第１の板部４１０と第２の板部４２０とを正面視凹形状としても良い。この場合、第１の板部４１０と第２の板部４２０との間に、電源プラグ２００を収納するための、正面視矩形状の収容部が形成される。この場合、収容部の形状は、直方体形状となる。そして、収容部は、電源プラグ２００の外壁と収容部の内壁とが接触した状態で、電源プラグ２００を収容する。
【００４０】
なお、第１の板部４１０と電源プラグ２００との間および第２の板部４２０と電源プラグ２００との間に板状の弾性部材（シリコン、樹脂、スポンジ）などを挿入しても良い。これによって、第１の板部４１０と電源プラグ２００との間の隙間および第２の板部４２０と電源プラグ２００との間の隙間を弾性部材で埋めることが可能になり、第１の板部４１０と電源プラグ２００および第２の板部４２０と電源プラグ２００との密着度を高めることができる。
＜実施の形態３の効果＞
【００４１】
以上説明した実施の形態３における電源プラグ補助器具４００によれば、第１の板部４１０と第２の板部４２０との間に、電源プラグ２００を収容することで、実施の形態１と異なる効果として、部材の数を減らすことができる。また、少ない作業量で胴部３６０の内部に収容される電源プラグ２００の正面側および背面側を固定できる。
【００４２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００４３】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００４４】
１００…電源プラグ補助器具、１１０…ダミー接地極、１２０…第１の正面側固定部材、１３０…第２の正面側固定部材、１４０…第１の突き出し部、１５０…第２の突き出し部、１６０…胴部、１７０…底面部、１８０…第１の背面側固定部材、１９０…第２の背面側固定部材、
２００…電源プラグ、２１０…第１の刃、２２０…第２の刃。
【図１】
2019149277.tif 000003
【図２】
2019149277.tif 000004
【図３】
2019149277.tif 000005
【図４】
2019149277.tif 000006
【図５】
2019149277.tif 000007
【図６】
2019149277.tif 000008
【図７】
2019149277.tif 000009
【図８】
2019149277.tif 000010
【図９】
2019149277.tif 000011
【図１０】
2019149277.tif 000012
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
電源プラグを収容する胴部を有する電源プラグ補助器具であって、
前記電源プラグを収容した後に、前記胴部の正面側に形成される開口部に嵌め込まれる第１の正面側固定部材と、第２の正面側固定部材とを有し、
前記第１の正面側固定部材には、コンセントに設けられている接地用の孔に挿入可能なダミー接地極が設けられ、
前記胴部の内部に収容される前記電源プラグは、前記第１の正面側固定部材と前記第２の正面側固定部材とによって挟まれた状態で前記胴部に固定され、
前記電源プラグを収容した状態にて、前記電源プラグに設けられている第１の刃と第２の刃とがコンセントの電源供給用の孔に挿入され、前記ダミー接地極が前記コンセントの接地用の孔に挿入される、
電源プラグ補助器具。
【請求項２】
請求項１に記載の電源プラグ補助器具において、
電源プラグを収容した後に、電源プラグ補助器具の背面側に設けられている第１の突き出し部および第２の突き出し部に固定される第１の背面側固定部材と、第２の背面側固定部材とを有する、電源プラグ補助器具。
【請求項３】
請求項１に記載の電源プラグ補助器具において、
前記胴部に対して着脱自在に構成される底面部を有し、
前記胴部に設けられているねじ受け部に、前記底面部に設けられているねじ部が締めこまれることで、前記胴部に対して前記底面部が固定される、電源プラグ補助器具。
【手続補正２】
【補正対象書類名】図面
【補正対象項目名】図５
【補正方法】変更
【補正の内容】
【図５】
2019149277.tif 000013
【手続補正３】
【補正対象書類名】図面
【補正対象項目名】図６
【補正方法】変更
【補正の内容】
【図６】
2019149277.tif 000014